(57)【要約】【課題】    複数種類の薬を飲み間違い・飲み忘れを防止するため、それぞれの薬ごとに飲む時期  だけに薬箱の薬室を開閉できる開閉予約弁と開閉支持棒を有する開閉装置を設け、食卓  に置けるサイズの薬箱にし、薬を飲むために開閉する時期を明示することで、飲んだか  どうかを確実に把握できるようにすることで、飲み間違い・飲み忘れ防止薬箱を提供す  ることを課題としている。【解決手段】    複数の薬室の蓋には薬を飲む時期を指定する開閉予約弁を設け、開閉予約弁を押し上  げることで薬室の蓋を開ける開閉支持棒を有する開閉装置を設けることで、薬を飲む時  期の飲み間違いをなくすことができ、薬箱を食卓におけるサイズにし、飲む人等が薬室  の開け方の「私のルール」を決めて薬箱に貼っておくことで、飲み間違い・飲み忘れを  防止することができるようにした。【選択図】  図４
2012179203.tif 000002
【特許請求の範囲】
【請求項１】
薬の種類ごとの薬室を設け、薬室の蓋に一日に薬を飲む回数に合わせた開閉予約弁    ａ〜ｃを設け、薬を飲む時期に合わせて開閉予約弁を押し上げることで薬室の蓋を開    けるための開閉支持棒１〜５を有する薬室開閉装置ＡとＢとを設け、予約した時期に    のみ薬室の蓋を開けることが出来るようにした飲み間違い・飲み忘れ防止薬箱。
【発明の詳細な説明】
【技術分野】
【０００１】
本考案は、複数種類の薬を入れた薬室の蓋を飲む必要があると指定されている時期    にだけ開閉できるようにすることで、指定された薬を間違わずに、又飲み忘れないよ    うにするための飲み間違い・飲み忘れ薬箱に関するものである。
【先行技術文献】
【特許文献】
【０００２】
【特許文献１】特開平１０−２２５５０２は、一度蓋をすると、次の時期に合わせなければ二度      とは開けることが出来ないようにすることで、薬を飲んだとか飲まなかったとか思      案しなくてよい飲み忘れ防止薬箱であるが、これは複数種類の薬の飲み間違いを防      止することに対応出来ない問題があった。
【特許文献２】特開２００３−１８０７９８は、薬室が曜日と日付で分かるようになっており、      薬室も分割できることで複数の薬の飲み忘れ・飲み間違いを防止する薬箱である        が、ケースが大きすぎるので食卓に置くのに不便であるという問題があった。
【発明の概要】
【発明が解決しようとする課題】
【０００３】
複数種類の薬を飲まなければならないときに起こるのが、飲む必要がある薬を飲み        間違えることと、飲み忘れや飲み過ぎである。そこで、薬の種類ごとに入れる薬      室を設け、それぞれの薬ごとに飲む時期（朝・昼・晩等）だけに薬室を開閉できる      開閉予約弁と開閉予約弁を押し上げる開閉支持棒を有する開閉装置を設けること        で、飲み間違いを防止できるようにした。又、食卓に置けるサイズの薬箱にし、薬      を飲むために開閉する時期を明示することで、飲んだかどうかを確実に把握できる      ようにすることで、飲み間違い・飲み忘れ防止薬箱を提供することを課題としてい      る。
【課題を解決するための手段】
【０００４】
複数の薬をそれぞれの薬室に入れ、各薬室の蓋には薬を飲む時期（朝・昼・晩等）      を指定する開閉予約弁を設け、開閉予約弁を開閉時期を明示したセットマークの場      所に合わせて押し上げることで薬室の蓋を開ける開閉支持棒を有する開閉装置を設      けることによって、それぞれの薬を飲む時期が確定し、それぞれの薬を飲む時期の      飲み間違いをなくすことができる。飲み忘れ防止の点では、薬を食事の前後に飲む      ことが多いので、食卓におけるサイズにする。さらに、薬室の開閉装置は飲む時期      を表示した箇所にセットして開閉するので、飲む人や家族が「飲むときに開閉装置      の開閉時期をセットして開ける」又は「飲んだら次に飲む時期の表示にセットして      おく」などの「私のルール」を決めて薬箱の前面に貼っておくことで、飲み間違い      ・飲み忘れを確実に把握できて、防止することもできる。飲む時期は基本的に「朝      ・昼・晩」にしているが、「寝る前」や「食間」など、飲む回数に応じて開閉予約      弁を増やすことができる。又、薬室の数五つにしてあるが飲む薬の数に応じて増や      すことができる。
【発明の効果】
【０００５】
本考案は、複数種類の薬を飲む時期を予約して、その時期に飲む必要がある薬の入      った薬箱の薬室を開閉するため、飲み間違いを確実に防止することができる。しか      も、薬箱が通常薬を飲む場所となる食卓に置くことが出来るコンパクトなサイズで      あることと、飲み忘れを防止する「私のルール」を飲む人自身あるいは家族で決め      て薬箱に貼ることによって、飲み忘れがあるかどうかを簡単に確認することができ      るものである。
【図面の簡単な説明】
【０００６】
【図１】実際に開閉して使用するときの図である。
【図２】開閉予約弁のついた薬室の蓋の図である。
【図３】薬室の蓋を開閉するための開閉支持棒の装置の図であり、ＡとＢとを組み合わせて      使うものである。
【図４】薬箱の全体図である。
【発明を実施するための形態】
【０００７】
図１は、本考案の薬箱の必要な薬室を開けた状態を示したものである。開閉支持棒      を朝の位置にセットすることで朝にセットされた薬室のみを開けており、予約され      ていない薬室は閉じたままの状態になっている。
【０００８】
図２は、薬室の蓋の部分である。蓋には朝・昼・晩の開閉予約弁が設けてあり、開      閉予約弁は３回の服用に対応できるもので、１日に服用する回数に応じて増やして      セットすることができる。
【０００９】
図３は、薬室の蓋を開閉するための装置である。Ａには、薬室の数に合わせて５本      の開閉支持棒があり、Ｂの空洞Ｃに差し込んで使用する。Ｂには、開閉予約弁のセ      ット位置の表示（朝・昼・晩）があり、その表示にＡのセットマークＤを合わせる      と、予約した薬室だけが開閉出来るようになっている。
【００１０】
図４は、薬箱の全体図であり、全面に「私のルール」を貼るようになっている。    
【符号の説明】
【００１１】
ａ〜ｃ  開閉予約弁                        ｄ  開閉予約弁押さえ
１〜５  開閉支持棒                        ６  開閉予約弁のセット位置
Ａ  薬室の開閉支持棒の装置                Ｂ  Ａを収納して開閉する装置
Ｃ  Ａを収納する空洞部                    Ｄ  セットマーク
【図１】
2012179203.tif 000003
【図２】
2012179203.tif 000004
【図３】
2012179203.tif 000005
【図４】
2012179203.tif 000006
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
直方体の薬箱の内部を複数個に仕切った薬室を設け、前記薬室の上面に同一開閉軸を持つ各薬室に独立で開閉できる蓋を設け、前記各蓋の開閉軸の反対端面近傍に、一日の薬を飲む回数と同じ複数個の開閉予約弁を設け、前記開閉予約弁を押し上げて蓋を開閉させる開閉支持棒を有する薬室の開閉支持棒の装置（Ａ）と蓋と同一開閉軸を持ちＡを収納して開閉する装置（Ｂ）とを設け、前記薬室の開閉支持棒の装置（Ａ）のセットマーク（Ｄ）を、一日の薬を飲む時期を示す開閉予約弁のセット位置（６）に合うまでスライドさせてから前記薬室の開閉支持棒の装置（Ａ）を持ち上げることによって、開閉支持棒が開閉予約弁に作用して、予約した時期にのみ薬室の蓋を開けることが出来るようにした飲み違い・飲み忘れを防止する薬箱。           
【手続補正２】
【補正対象書類名】明細書
【補正対象項目名】０００５
【補正方法】変更
【補正の内容】
【０００５】
本発明は、複数種類の薬を飲む時期を予約して、その時期に飲む必要がある薬の入った薬箱の薬室を開閉するため、飲み間違いを確実に防止することができる。しかも、薬箱が通常薬を飲む場所となる食卓に置くことが出来るコンパクトなサイズであることと、飲み忘れを防止する「私のルール」を飲む人自身あるいは家族で決めて薬箱に貼ることによって、飲み忘れがあるかどうかを簡単に確認することができるものである。
【手続補正３】
【補正対象書類名】明細書
【補正対象項目名】０００７
【補正方法】変更
【補正の内容】
【０００７】
図１は、本発明の薬箱の必要な薬室を開けた状態を示したものである。開閉支持棒を朝の位置にセットすることで朝にセットされた薬室のみを開けており、予約されていない薬室は閉じたままの状態になっている。
【手続補正４】
【補正対象書類名】明細書
【補正対象項目名】００１０
【補正方法】変更
【補正の内容】
【００１０】
図４は、薬箱の全体図であり、前面に「私のルール」を貼るようになっている。
【手続補正５】
【補正対象書類名】明細書
【補正対象項目名】００１１
【補正方法】変更
【補正の内容】
【００１１】
ａ〜ｃ  開閉予約弁  
ｄ      開閉予約弁押さえ 
１〜５  開閉支持棒                                                              
６      開閉予約弁のセット位置
Ａ      薬室の開閉支持棒の装置
Ｂ      Ａを収納して開閉する装置
Ｃ      Ａを収納する空洞部
Ｄ      セットマーク
【手続補正書】
【提出日】平成23年10月13日(2011.10.13)
【手続補正１】
【補正対象書類名】特許請求の範囲
【補正対象項目名】全文
【補正方法】変更
【補正の内容】
【特許請求の範囲】
【請求項１】
直方体の薬箱の内部を複数個に仕切った薬室を設け、前記薬室の上面に同一方向に独立で開閉できる蓋を設け、前記各蓋の開閉側近傍に、一日の薬を飲む回数と同じ複数個の開閉予約弁を設け、前記開閉予約弁を押し上げて蓋を開閉させる開閉支持棒を有する装置（Ａ）と、Ａを収納して蓋と同じ動きをする開閉装置（Ｂ）とを設け、前記薬室の開閉支持棒の装置（Ａ）のセットマーク（Ｄ）を、一日の薬を飲む時期を示す開閉予約弁のセット位置（６）に合うまでスライドさせてから前記薬室の開閉支持棒の装置（Ａ）を持ち上げることによって、開閉支持棒が開閉予約弁に作用して、予約した時期にのみ薬室の蓋を開けることが出来るようにした飲み違い・飲み忘れを防止する薬箱。           
【手続補正２】
【補正対象書類名】明細書
【補正対象項目名】０００３
【補正方法】変更
【補正の内容】
【０００３】
複数種類の薬を飲まなければならないときに起こるのが、飲む必要がある薬を飲み間違えることと、飲み忘れや飲み過ぎである。そこで、薬の種類ごとに入れる薬室を設け、それぞれの薬ごとに飲む時期（朝・昼・晩等）にだけ簡単な操作で飲む目的の薬室の蓋だけが同時に開閉できる装置を設けることで、飲み間違いを防止できるようにした。又、薬を飲むために開閉する時期をＡのセットマークＤにより移動位置を明示することで、飲んだかどうかを確実に把握できるようにすることで、飲み間違い・飲み忘れ防止薬箱を提供することを課題としている。
【手続補正３】
【補正対象書類名】明細書
【補正対象項目名】０００９
【補正方法】変更
【補正の内容】
【０００９】
図３は、薬室の蓋を開閉するための装置である。Ａには、薬室の数に合わせて５本の開閉支持棒があり、Ｂの空洞Ｃに差し込んで使用する。Ｂには、開閉予約弁のセット位置の表示（朝・昼・晩）があり、その表示にＡのセットマークＤを合わせると、開閉支持棒が開閉予約弁の真下に移動し、Ａを持ち上げることで予約した薬室の蓋のみが開くようになっている。